(57)【要約】【課題】テレビ受信システムに地上ディジタル波を追加する。【解決手段】テレビ放送をアンテナで受信して，受信信号を一本の同軸ケーブルによって建造物内に配設した複数の受信端へ伝送するように構成されたテレビ受信システムの，前記同軸ケーブルの途中に混合手段を設け，一方，地上ディジタル放送受信システムは，ディジタル放送用のアンテナでの受信信号を，同軸ケーブルを介して対向するように配設された混合・分波手段を介して地上ディジタルチューナへ伝送し，このチューナから出力された信号を，更に変調器においてＲＦ信号に変調した後に，この信号を前記混合・分波手段，同軸ケーブルを介して伝送信号として出力するように構成されており，この伝送信号は，前記テレビ受信システムに備えた前記混合手段を介して，該テレビ受信システムで受信した受信信号と混合されて受信端へ伝送するように構成した。【選択図】  図１
2006319798.tif 000002
【特許請求の範囲】
【請求項１】
テレビ放送をアンテナで受信し，該受信信号を建造物内に配設した１つ若しくは２つ以上の受信端へ，一本の同軸ケーブルによって引き込むように構成されたテレビ受信システムにおいて，
該テレビ受信システムに挿設した前記同軸ケーブルの途中に，前記アンテナにおいて受信する周波数帯の受信信号と，該受信信号とは異なる帯域の周波数帯の信号であって，前記受信システムとは異なる地上ディジタル放送受信システムから出力された伝送信号と，を混合するように構成された混合手段を設け，
前記地上ディジタル放送受信システムは，この地上ディジタル放送受信システムに備えられたディジタル放送用のアンテナで受信した受信信号であるディジタル放送信号を，同軸ケーブルと，該同軸ケーブルを介して対向するように配設された混合・分波手段であって，前記ディジタル放送信号を含む周波数帯の信号と，該ディジタル放送信号とは異なる帯域である周波数帯の信号とを，分波若しくは混合するように構成された混合・分波手段を介して，前記ディジタル放送信号を選局・復調するための地上ディジタル放送用受信装置へ伝送し，更にはこの受信装置において復調された信号を，所定のテレビチャンネル信号に変調するための変調器において，ディジタル放送用の前記アンテナで受信した受信信号に妨害を与えない，異なる帯域である周波数帯のテレビチャンネル信号に変調した後に，このテレビチャンネル信号を前記受信装置側の前記混合・分波手段，及び，同軸ケーブルを介し，ディジタル放送用の前記アンテナ側の前記混合・分波手段から前記伝送信号として出力するように構成されており，
前記テレビ受信システムは，該テレビ受信システムに備えた前記混合手段を介して，該受信システムで受信した受信信号と，前記地上ディジタル放送受信システムから出力された前記伝送信号とを混合して，前記受信端へ伝送するように構成したことを特徴とするテレビ受信システム。
【請求項２】
前記テレビ受信システムは，少なくともＵＨＦ帯の地上アナログ放送を受信するように構成されており，
前記地上ディジタル放送受信システムから出力される伝送信号は，前記テレビ受信システムが受信している受信信号に妨害を与えない，ＶＨＦ帯のテレビチャンネルの信号であるように構成されたことを特徴とした請求項１に記載のテレビ受信システム。
【請求項３】
少なくとも，前記地上ディジタル受信システムにおける前記地上ディジタル放送用受信装置と，該受信装置側に配設された一方の前記混合・分波手段と，前記変調器と，を建造物内や収納ボックス等に収納したことを特徴とした請求項１又は請求項２に記載のテレビ受信システム。
【発明の詳細な説明】
【技術分野】
【０００１】
本発明は，主にテレビ受信システムに関し，詳しくは地上アナログ放送と地上ディジタル放送とが混在する地域であって，地上ディジタル放送波によって地上アナログ放送の受信に妨害を受ける地域の，既設の地上アナログ放送受信システムに，簡単に地上ディジタル放送受信システムを付加することができる受信システムに関する。
【背景技術】
【０００２】
近年，テレビ放送は多チャンネル化やディジタル化が進み，衛星放送ばかりでなく地上波もディジタル化され，これによって受信端末側にチューナを設置しこれを介してテレビを見るようなシステムが必要となり，受信システムもこれに対応させる必要が生じてきた。
これに対して，例えば衛星からの信号をダウンコンバートすることによって，地上波の電波と周波数配列を順序良く並べることによって，受信した信号を一本の同軸ケーブルで建造物内の受信端に伝送するようなシステムが提案されており，各受信点に設置された各放送に対応したチューナによって任意にチャンネルを選択できるようになっている。（例えば特許文献１参照）
ところで，地上ディジタル放送は，当面の間，地上アナログ地上放送とのサイマル放送となり，そのために送信側においては，従来からあるアナログ放送波を異なるチャンネルに移動させることが必要となり，これにともなって，受信側ではテレビやビデオの受信チャンネル用の変更を行ったり，アンテナの方向を変えたり増幅器の調整をしたりと言ったアナログーアナログ周波数変更対策が行われている。また，地域においては，新しく追加されたディジタル放送の電波によって，アナログ放送の電波に影響が出るところがあり，それのための対策であるデジタルーアナログ周波数変更対策などが必要となる場合がある。
このように新しく出たディジタル放送が，従来からある地上アナログ放送に影響を与えるような場合は，２０１１年に完全にディジタル放送に移行することもあり，簡単且つ安価で，素早く対策できる方法を勘案して実施されるのが望まれていた。
【０００３】
【特許文献１】特開平１０−２２４６９９号公報
【発明の開示】
【発明が解決しようとする課題】
【０００４】
ところが例えばビルやマンションのような既設のテレビ受信システムにおいて，新しく追加されたディジタル放送の電波の影響で，従来から受信している地上アナログ放送の受信に影響が出る場合，その対策を行うためには，既に設置されている受信システムの受信点にある機器を改修する必要が生じるので，それによってテレビの視聴者の視聴を長時間止めることなく工事をする事はできなかった。また，これに伴う改修費が嵩むと言った問題があった。
そこで本発明はこのような問題点を解決するためになされたものであり，
その目的は，従来から一般に市販されているテレビ受信用機器とチューナ等を用い，別途地上ディジタル用の受信システムを構築し，この受信システムからの信号を従来からあるアナログ放送受信システムに簡単に付加可能な受信システムを提供することにある。
他の目的は，従来からあるテレビ受信システムの受信点に設置された機器を大幅に改修することもなく，従って，これによってテレビの視聴者の視聴を長時間止めることなく工事をする事ができるテレビ受信システムを提供することにある。
他の目的は，一般的に市販されているテレビ受信機器やチューナ等を利用して受信システムが構築することによって，改修に伴う費用が嵩むと言った事のない受信システムを提供することにある。
【課題を解決するための手段】
【０００５】
上記課題を解決するために，請求項１の発明は，テレビ放送をアンテナで受信し，該受信信号を建造物内に配設した１つ若しくは２つ以上の受信端へ，一本の同軸ケーブルによって引き込むように構成されたテレビ受信システムにおいて，該テレビ受信システムに挿設した前記同軸ケーブルの途中に，前記アンテナにおいて受信する周波数帯の受信信号と，該受信信号とは異なる帯域の周波数帯の信号であって，前記受信システムとは異なる地上ディジタル放送受信システムから出力された伝送信号と，を混合するように構成された混合手段を設け，前記地上ディジタル放送受信システムは，この地上ディジタル放送受信システムに備えられたディジタル放送用のアンテナで受信した受信信号であるディジタル放送信号を，同軸ケーブルと，該同軸ケーブルを介して対向するように配設された混合・分波手段であって，前記ディジタル放送信号を含む周波数帯の信号と，該ディジタル放送信号とは異なる帯域である周波数帯の信号とを，分波若しくは混合するように構成された混合・分波手段を介して，前記ディジタル放送信号を選局・復調するための地上ディジタル放送用受信装置へ伝送し，更にはこの受信装置において復調された信号を，所定のテレビチャンネル信号に変調するための変調器において，ディジタル放送用の前記アンテナで受信した受信信号に妨害を与えない，異なる帯域である周波数帯のテレビチャンネル信号に変調した後に，このテレビチャンネル信号を前記受信装置側の前記混合・分波手段，及び，同軸ケーブルを介し，ディジタル放送用の前記アンテナ側の前記混合・分波手段から前記伝送信号として出力するように構成されており，前記テレビ受信システムは，該テレビ受信システムに備えた前記混合手段を介して，該受信システムで受信した受信信号と，前記地上ディジタル放送受信システムから出力された前記伝送信号とを混合して，前記受信端へ伝送するように構成した。
【０００６】
請求項２の発明は，請求項１に記載のテレビ受信システムにおいて，前記テレビ受信システムは，少なくともＵＨＦ帯の地上アナログ放送を受信するように構成されており，前記地上ディジタル放送受信システムから出力される伝送信号は，前記テレビ受信システムが受信している受信信号に妨害を与えない，ＶＨＦ帯のテレビチャンネルの信号であるように構成した。
【０００７】
請求項３の発明は，請求項１又は請求項２に記載のテレビ受信システムにおいて，少なくとも，前記地上ディジタル受信システムにおける前記地上ディジタル放送用受信装置と，該受信装置側に配設された一方の前記混合・分波手段と，前記変調器と，を建造物内や収納ボックス等に収納した。
【発明の効果】
【０００８】
請求項１の発明によれば，テレビ放送をアンテナで受信し，該受信信号を建造物内に配設した１つ若しくは２つ以上の受信端へ，一本の同軸ケーブルによって引き込むように構成されたテレビ受信システムにおいて，該テレビ受信システムに挿設した前記同軸ケーブルの途中に，前記アンテナにおいて受信する周波数帯の受信信号と，該受信信号とは異なる帯域の周波数帯の信号であって，前記受信システムとは異なる地上ディジタル放送受信システムから出力された伝送信号と，を混合するように構成された混合手段を設け，前記地上ディジタル放送受信システムは，この地上ディジタル放送受信システムに備えられたディジタル放送用のアンテナで受信した受信信号であるディジタル放送信号を，同軸ケーブルと，該同軸ケーブルを介して対向するように配設された混合・分波手段であって，前記ディジタル放送信号を含む周波数帯の信号と，該ディジタル放送信号とは異なる帯域である周波数帯の信号とを，分波若しくは混合するように構成された混合・分波手段を介して，前記ディジタル放送信号を選局・復調するための地上ディジタル放送用受信装置へ伝送し，更にはこの受信装置において復調された信号を，所定のテレビチャンネル信号に変調するための変調器において，ディジタル放送用の前記アンテナで受信した受信信号に妨害を与えない，異なる帯域である周波数帯のテレビチャンネル信号に変調した後に，このテレビチャンネル信号を前記受信装置側の前記混合・分波手段，及び，同軸ケーブルを介し，ディジタル放送用の前記アンテナ側の前記混合・分波手段から前記伝送信号として出力するように構成されており，前記テレビ受信システムは，該テレビ受信システムに備えた前記混合手段を介して，該受信システムで受信した受信信号と，前記地上ディジタル放送受信システムから出力された前記伝送信号とを混合して，前記受信端へ伝送するように構成したので，
地上ディジタル用の受信システムを別途構築することによって，この受信システムからの信号を，従来からある前記テレビ受信システムの受信点に設置された機器を大幅に改修することもなく簡単且つ安価に付加するができる。
加えて，大幅な改修工事を必要としないことで，テレビの視聴者の視聴を長時間止めることなく，地上ディジタル放送の受信システムの追加工事を短時間に構築する事ができ，更には，地上ディジタル用の受信システムが，一般的に市販されているテレビ受信機器やチューナ等を利用して構築できることから，改修に伴う費用が安価にできるといった有効性の高いテレビ受信システムを提供できるのである。
【０００９】
請求項２の発明によれば，請求項１に記載のテレビ受信システムにおいて，前記テレビ受信システムは，少なくともＵＨＦ帯の地上アナログ放送を受信するように構成されており，前記地上ディジタル放送受信システムから出力される伝送信号は，前記テレビ受信システムが受信している受信信号に妨害を与えない，ＶＨＦ帯のテレビチャンネルの信号であるように構成したので，
前記混合手段及び前記混合・分波手段が，一般的に市販されている混合器（分配器）を用いて構成できるので安価にテレビ受信システムを構築することができる。
【００１０】
請求項３の発明によれば，請求項１又は請求項２に記載のテレビ受信システムにおいて，少なくとも，前記地上ディジタル受信システムにおける前記地上ディジタル放送用受信装置と，該受信装置側に配設された一方の前記混合・分波手段と，前記変調器と，を建造物内や収納ボックス等に収納したので，
特別新たに防水性等を考慮した機器の開発を行うことなく，従来から一般に市販されているテレビ受信用機器とチューナ等を用い，地上ディジタル用の受信システムを構築することができ，この受信システムからの信号を，既設のアナログ放送受信システムに簡単且つ安価に付加することができ，改修に伴う費用が安価にできる。
【発明を実施するための最良の形態】
【００１１】
以下に，本発明を具体化した実施形態の例を，図面を基に詳細に説明する。
図１は本願の受信システムを示す第１の実施形態の概略ブロック図である。図２は第１実施形態の異なる例を示す。図３は混合・分波手段及び混合手段の周波数特性の一例を示す。
【実施例１】
【００１２】
図１に示す第１の実施形態のテレビ受信システムは，既設の地上アナログ放送を受信するテレビ受信システムに，新しく地上ディジタル放送の受信システムを付加するシステムを示している。この図において１は地上アナログ放送の受信を行うためのＵＨＦアンテナであり，受信した信号は同軸ケーブル３を介して屋内の分配器８からテレビ端子９に分配されて引き込まれ，テレビ受像機３６等に接続されている。
この実施例では，前記同軸ケーブル３にはＵＨＦ帯の信号とＶＨＦ帯の信号とを混合して出力する混合手段５が挿設されている。この混合手段は例えばコイルとコンデンサデ等から構成されたＵＨＦ帯を通過しＶＨＦ帯を阻止帯域とするフィルタ回路と，ＶＨＦ帯を通過しＵＨＦ帯を阻止帯域とするフィルタ回路から成る混合器である。この混合手段５の周波数特性についての一例を図３に示す。
尚，７はテレビ受信用増幅装置であって，混合手段５から出力されるＶＨＦとＵＨＦの混合信号を入力するライン入力を有する，増幅素子としてのトランジスタやＩＣ等から成る増幅装置であり，前述の分配数や同軸ケーブルの引き回し長さに応じて伝送損失を補償するために配設したものであり，端末におけるレベルに問題がなければ無くてもよい。
また，本願の実施例では前記テレビ受信システムにおける屋内側の構成を，４分配器８を用いた例を示したが，この実施例に限定されるものではなく，分岐器，分配器を組み合わせて構成してもよい事は言うまでもない
【００１３】
次に，地上ディジタル放送の受信システムについて説明する。この図において１０は地上ディジタル放送の受信を行うためのＵＨＦアンテナであり，受信した信号は，同軸ケーブル１３と，該同軸ケーブル１３を介して対向配置された混合・分波手段１５，１６を介して地上ディジタル放送用受信装置３２に入力されている。
この第１の実施形態における前記混合・分波手段１５，１６は，それぞれＵＨＦ帯の信号とＶＨＦ帯の信号とを混合若しくは分波するように，例えばコイルとコンデンサデ等から構成されたＵＨＦ帯を通過しＶＨＦ帯を阻止帯域とするフィルタ回路と，ＶＨＦ帯を通過しＵＨＦ帯を阻止帯域とするフィルタ回路から成り，前記混合手段５と同様の周波数特性を有している。
【００１４】
前記地上ディジタル放送用受信装置３２は，本願の実施例では，特にこのシステム専用に開発されたものでなくてもよく，例えば一般的に市販されている地上ディジタルチューナで有れば，本願に示すような地上ディジタル放送受信システムが安価に構築できる。
このチューナ３２で選局・復調された映像信号と音声信号は，図に示す映像ケーブル及び音声ケーブルを介してチューナ３２の近傍に配設された変調器３３に入力される。
この変調器３３は，前記チューナ３２において選局・復調された希望チャンネルの映像信号と音声信号から，例えばＶＨＦ帯における任意のテレビチャンネルのＲＦ信号に変調して出力するように構成されたものである。
尚，既設の前記テレビ受信システムにおいて，ＵＨＦ帯ばかりでなくＶＨＦ帯も受信しているならば，前記変調器３３において出力される前記ＲＦ信号は，受信しているＶＨＦ帯のテレビチャンネルに妨害を与えないようなチャンネル配置となるように設定する。
【００１５】
前記変調器３３から出力されたＶＨＦ帯のＲＦ信号は，ＵＨＦ帯とＶＨＦ帯とを混合するフィルタ回路から成る前記混合・分波手段１６から，同軸ケーブル１３を介して，屋外に設置されたＵＨＦ帯の信号とＶＨＦ帯の信号とを分波する混合・分波手段１５側に出力される。
この混合・分波手段によって分波されたＶＨＦ帯のＲＦ信号は，請求孔に記載の伝送信号であり，この伝送信号は，同軸ケーブル２３を介して，前記テレビ受信システムの混合手段５のＶＨＦ入力に入力されて，前記アンテナ１によって受信されたアナログ放送のＵＨＦ帯の信号と混合されて受信端末側に出力される。
【００１６】
この第１の実施形態における地上ディジタル放送受信システムでは，特に混合・分波手段１６と，該混合・分波手段より後側に配設される前記地上ディジタル放送受信装置３２と変調器３３機器に付いては，建造物内や収納ボックス等に収納するようにしておけば，特別，これらのケース等は防水構造を必要としないので，一般的に市販されているこれらのテレビ受信用機器を用いて構成することができ，安価に且つ簡単にテレビ受信システムが構築できる。
【００１７】
このように，本願に示すテレビ受信システムによれば，新しく始まった地上ディジタル放送によって，従来から受信しているアナログ放送の受信に影響が出るような場合であっても，地上ディジタル放送受信システムにおいて受信したディジタル信号を，特別新たに機器の開発を行うことなく，一般に市販されているテレビ受信用機器やチューナ等を用いてチャンネル変換することができる地上ディジタル放送受信システムを構築し，この受信システムからの信号を，既設のテレビ受信システムに，簡単且つ安価に付加することができるものであり，加えて，既設の前記テレビ受信システムの受信点に設置された機器を大幅に改修することもないので，地上ディジタル放送の受信システムの追加工事が，テレビの視聴者の視聴を長時間止めることなく，短時間に構築する事ができ，延いては，一般的に市販されているテレビ受信機器やチューナ等を利用してテレビ受信システムが構築できることから，改修に伴う費用が安価にできるといった有効性の高いテレビ受信システムを提供できるのである。
尚，図２に示すように，本願にかかる第１実施形態の異なる実施例として，混合手段５とテレビ受信用増幅装置７の替わりに，少なくともＶＨＦ帯及びＵＨＦ帯の信号をそれぞれ別入力で入力し，所定のレベル増幅した後に，夫々の信号を混合して出力するように構成されたテレビ受信用増幅装置１４を用いて構成してもよい。
更に，本願の実施例では混合手段５及び前記混合・分波手段１５，１６はＶＨＦ帯とＵＨＦ帯を混合若しくは分波する用に構成したが，ＵＨＦ帯のなかで混合・分波できるのであれば，ＵＨＦ帯とＵＨＦ帯の混合・分波器であってもよいなど，特に実施例に限定されるものではない。
尚，本発明は上記実施の形態に限定されるものではなく，本発明の趣旨を逸脱しない範囲で各部の構成を適宜に変更して実施することも可能である。
【図面の簡単な説明】
【００１８】
【図１】本願の受信システムを示す第１の実施形態の概略ブロック図である。
【図２】第１実施形態の異なる例を示す。
【図３】混合・分波手段及び混合手段の周波数特性の実施例を示す。
【符号の説明】
【００１９】
１…ＵＨＦアンテナ（アナログ放送用），３…同軸ケーブル，５…混合手段，７…テレビ受信用増幅装置（Ｖ・Ｕ混合入力），８…分配器，９…テレビ端子，１０…ＵＨＦアンテナ（ディジタル放送用），１３…同軸ケーブル，１４…テレビ受信用増幅装置（Ｖ・Ｕ・ＢＳ別入力），１５…混合・分波手段，１６…混合・分波手段，２０…ＢＳアンテナ，２１…ＶＨＦアンテナ（アナログ放送用），２３…同軸ケーブル，３１…分波器，３２…地上ディジタル放送用受信装置（チューナ），３３…変調器，３５…ＢＳチューナ，３６…テレビ受像機
【図１】
2006319798.tif 000003
【図２】
2006319798.tif 000004
【図３】
2006319798.tif 000005